(57)【要約】【課題】  シャーシに設けた嵌合穴に対して着脱が容易な反面、外力によって脱落され難く、かつ確実に取り外すことを可能にした固定具を提供する。【解決手段】  ケーブルを締結保持する保持部１０に設けられた嵌合部２０を、保持部から突出されたポスト２１の先端に設けられてシャーシ２の透孔３に嵌合される一対の嵌合片２２と、嵌合片２２に連結する解除片２４と、脚片２５と、保持部１０が嵌合部２０に対して捩じり方向に回動される回動量を規制するための第１ストッパ２６と第２ストッパ１５とをポスト２１と保持部１０に設ける。保持部１０が捩じり回転されてもポスト２１と嵌合片２２、及び保持部１０と解除片２４の各干渉が防止でき、解除片２４による嵌合片２２の縮径を可能にして固定具の取り外しを可能にする。【選択図】  図１ 
2005114124.tif 000002
【特許請求の範囲】
【請求項１】
シャーシに部品を保持させるための保持部と、前記保持部と一体に設けられ、前記シャーシに設けられた嵌合穴に嵌合して前記保持部を前記シャーシに固定するための嵌合部とを備える固定具において、前記嵌合部は、前記保持部の一側から下方に向けて突出されたポストと、前記ポストの先端部に設けられ、外径方向に弾性変形して前記嵌合穴に嵌合される矢尻型をした一対の嵌合片と、前記嵌合片の先端部からそれぞれ前記保持部の両側面に沿って延設され、手操作されたときに前記一対の嵌合片を内径方向に弾性変形して前記嵌合穴との嵌合から離脱させるための一対の解除片と、前記解除片の一部に基端部が連結され先端部が前記シャーシの表面に当接可能な一対の脚片と、前記ポストまたは保持部の少なくとも一方に形成され、前記ポスト又は保持部が前記解除片に対して捩じり方向に回転されたときに前記嵌合片あるいは解除片に当接してその回転量を規制するためのストッパとを備えることを特徴とする固定具。
【請求項２】
前記ストッパは前記捩じり方向の一方向の回転量を規制する第１のストッパが前記ポストに形成され、前記捩じり方向の反対方向の回転量を規制する第２のストッパが前記保持部に形成されていることを特徴とする請求項１に記載の固定具。
【発明の詳細な説明】
【技術分野】
【０００１】
本発明は電子機器等のシャーシに電子部品やケーブル等を実装するために用いる固定具に関し、特にシャーシの表面側からの取り外しを容易に行うことが可能な固定具に関するものである。
【背景技術】
【０００２】
電子機器を組み立てる場合には、パネル、シャーシ、基板等の組立基板（以下、これらをシャーシと称する）に電子部品を取り付けたり、ケーブル等の配線部品を延設配置する必要があり、そのために実装用部品が用いられる。例えば、シャーシの表面に沿って複数本のケーブルを並列状態に延設配置する場合には、複数本のケーブルを結束した状態でシャーシへの取着を行うケーブルタイが用いられる。従来のケーブルタイの一例を図８に示す。ケーブルタイ１Ａは、複数本のケーブルを結束するために他端が自由端とされたバンド４１と、前記バンド４１の基端が連結され、バンド４１を先端から挿通させたときに当該バンド４１に設けられた図には表れない鋸歯に嵌合してバンド４１の抜け出しを防止する係止歯を備えるロック部４２を備えている。また、前記ロック部４２の下面には嵌合部５０が設けられており、この嵌合部５０は、下方に突出したポスト５１の両側に矢尻型に張り出した一対の嵌合片５２を有しており、シャーシ２の表面側から嵌合片５２をシャーシ２に設けた嵌合穴３内に挿入すると、一対の嵌合片５２は弾性により縮径されて嵌合穴３を通され、通過後は弾性復帰して拡径することで嵌合片５２の末端部に設けた段部５２ａが嵌合穴３の内縁部に嵌合する。また、嵌合片５２に対向して設けられているハ字状をした一対の脚片５５がシャーシ２の表面側に当接することで、前記段部５２ａと嵌合穴３との嵌合状態が保持される。このような嵌合部を備える固定具としては、例えば特許文献１に記載のものがある。
【特許文献１】特開平９−２４２９３６号公報
【発明の開示】
【発明が解決しようとする課題】
【０００３】
ところで、近年における家電製品、ＯＡ機器、自動車、電子機器全般において環境問題の解決策として環境配慮型製品の販売が義務付けられている中で、例えば、電子機器に内装したプリント基板や配線を電子機器のシャーシやパネル等から解体してリユース（再利用）することが要求されている。特に、解体作業を容易に行うために、工具等を用いることなく容易に解体することが要求されている。しかしながら、図８に示した従来の嵌合部の構造では、嵌合片５２を手や工具等を用いて縮径させてシャーシ２の嵌合穴３から引き出すことが必要であり、この場合嵌合片５２が小さくて掴み難いためにその操作が困難であるという問題がある。また、シャーシ２の裏面側で嵌合片３２を縮径させる必要があり、作業性が悪いという問題もある。
【０００４】
このような問題に対し、本願出願人は特願２００３−７２３３２において、シャーシの表面側から容易に着脱を可能にした固定具を提案している。この固定具はケーブルクランプに用いた例を示しており、図９に嵌合部の構造をケーブルクランプ１Ｂに適用した例を示している。基本的な構成は図８のケーブルタイ１Ａの嵌合部５０の構成と同じであるため等価な部分には同一符号を付しているが、ケーブルを支承するための枠状をした保持部１０の支承片１１の下面からポスト５１が下方に突出され、このポスト５１の先端に一対の嵌合片５２を有している。これらの嵌合片５２の各先端には連結片５３を介して支承片１１の両側に沿って上方に延長された解除片５４が形成されている。そのため、シャーシ２の嵌合穴３に嵌合部５０を嵌合した状態においても、図９に矢印で示すようにシャーシ２の表面側から一対の解除片５４を指操作して内側に変形させることで、この解除片５４に連結片５３を介して連結されている嵌合片５２を一体的に内側に変形してその径寸法を縮小することができ、固定具をシャーシ２の嵌合穴３から取り外すことが可能になる。
【０００５】
しかし、この提案した固定具について本発明者がさらに検討を加えたところ、改善すべき点が明らかになった。これは、シャーシ２に装着された固定具は、通常では保持部１０の両端面は両嵌合片を結ぶ線に対して垂直な方向に向けられているが、支持しているケーブルやその他の部品に外力が加えられたときに、図１０（ａ）のように保持部１０が水平方向の時計方向に捩じり変形されると、保持部１０が大きな角度まで回転され、ポスト５１が嵌合片５２の内側に当接される状態となる。そのため、この状態で解除片５４を内側に向けて変形しても、嵌合片５２は当接状態にあるポスト５１によって内側方向への変形、すなわち縮径が阻止されてしまい、嵌合片５２を嵌合穴３から引き出すことが困難になる。これは図１０（ｂ）に示すように反対方向の反時計方向に捩じり回転された場合も同じである。
【０００６】
本発明の目的は、このような固定具における捩じり方向での変形が要因となってシャーシからの取り外しが困難になることを未然に防止した固定具を提供するものである。
【課題を解決するための手段】
【０００７】
本発明は、シャーシに部品を保持させるための保持部と、保持部と一体に設けられ、シャーシに設けられた嵌合穴に嵌合して保持部をシャーシに固定するための嵌合部とを備える固定具において、嵌合部は保持部の一側から下方に向けて突出されたポストと、ポストの先端部に設けられ、外径方向に弾性変形して嵌合穴に嵌合される矢尻型をした一対の嵌合片と、嵌合片の先端部からそれぞれ保持部の両側面に沿って延設され、手操作されたときに一対の嵌合片を内径方向に弾性変形して嵌合穴との嵌合から離脱させるための一対の解除片と、解除片の一部に基端部が連結され先端部がシャーシの表面に当接可能な一対の脚片と、ポストまたは保持部の少なくとも一方に形成され、ポスト又は保持部が解除片に対して捩じり方向に回転されたときに嵌合片あるいは解除片に当接してその回転量を規制するためのストッパとを備えることを特徴とする。
【発明の効果】
【０００８】
本発明によれば、嵌合部に設けた一体の解除片を両外側から指で摘んで嵌合片を内径方向に弾性変形させることでシャーシの嵌合穴から固定具を容易に取り外すことが可能になる。また、保持部に加えられた外力によって保持部が捩じり回転された場合にストッパにより保持部またはポストの回転量を抑制し、ポストと嵌合片あるいは解除片との干渉を防止し、解除片による固定具の取り外しを確保することが可能になる。
【発明を実施するための最良の形態】
【０００９】
本発明におけるストッパは保持部の捩じり方向の一方向の回転量を規制する第１のストッパがポストに形成され、当該捩じり方向の反対方向の回転量を規制する第２のストッパが保持部に形成されることが好ましい。
【実施例１】
【００１０】
次に、本発明の実施形態を図面を参照して説明する。図１は本発明の固定具をシャーシの表面に沿ってケーブルを延設支持するためのケーブルクランプに適用した実施例１の斜視図である。また、図２（ａ），（ｂ）は正面図と側面図、図３（ａ），（ｂ）は図２（ａ）のＡＡ線拡大断面図、ＢＢ線拡大断面図である。これらの図において、ケーブルクランプは１は、図外のケーブルをクランプするための保持部１０と、この保持部１０をシャーシ２に取着するために、当該シャーシ２に設けられた嵌合穴３に嵌合される嵌合部２０とで構成されており、両部は樹脂成形により一体に形成されている。
【００１１】
前記保持部１０は、ほぼ上向きＵ字型をした支承片１１と、この支承片１１の一端に連結されて前記支承片１１の開口を開閉可能にされ、先端に小Ｕ字型をしたロック片１３を有するヒンジ片１２と、前記支承片１１の他端に設けられて前記ロック片１３を着脱可能にロックするロック体１４とを備えている。この保持部１０ではヒンジ片１２を開いた状態で開口を通して支持するケーブルを支承片１１内に内挿し、その後ヒンジ片１２を閉じてロック片１３をロック体１４に係合することで支承片１１からのケーブルの脱落を防止する。また、ロック片１３を指で操作してロック体１４とのロックを解除することでケーブルを支承片１１内から取り出すことが可能である。
【００１２】
前記嵌合部２０は前記支承片１１の略中央の下面から所要の長さで下方に突出した概ね細長い板状のポスト２１を備えている。前記ポスト２１の下側の先端部にはそれぞれ径方向に弾性変形可能な一対の嵌合片２２，２２が連結されており、全体として矢尻型に形成されている。前記一対の嵌合片２２，２２の外側面は前記ポスト２１を中心とした円弧状にされ、円形の輪郭の一部を構成するようになっている。また、前記一対の嵌合片２２，２２の拡径された各端部にはそれぞれ板厚の小さい連結片２３，２３が一体に連結形成されており、当該先端部の外側面には前記連結片２３，２３と嵌合片２２，２２との板厚の差に相当する径方向の段部２２ａ，２２ａが形成されている。
【００１３】
前記一対の連結片２３，２３の上端部には、それぞれ前記支承片１１の両側面に沿って幾分外側に湾曲された状態で上方に向けて延設された一対の解除片２４，２４が連結されている。また、前記一対の解除片２４，２４が前記連結片２３，２３に連結されている箇所には、それぞれ両外方向の幾分下方に向けて傾斜した状態でほぼ真直に突出された一対の脚片２５，２５が一体に形成されている。この一対の脚片２５，２５の各先端部は通常では前記嵌合片２２，２２の段部２２ａ，２２ａよりもシャーシ２の板厚に対応して若干上方に位置されている。また、前記一対の解除片２４，２４の上端部２４ａ，２４ａは若干薄肉に形成されるとともにそれぞれ内側に向けられ、前記支承片１１の各外側面に対して若干の間隔をおいて対峙されるように位置されている。
【００１４】
ここで、図４（ａ）に要部の一部破断斜視図を示すように、前記ポスト２１は、その長さ方向の上部の両側縁、換言すれば前記連結片の上端部が対向配置される領域にそれぞれ互いに反対方向を向けてほぼ直角方向に突出された一対の第１ストッパ２６，２６が一体に形成されている。これらの第１ストッパ２６，２６は、上端部から所要の長さまでは一定の突出寸法であり、それよりも下側の領域では突出寸法が漸減するようなテーパ状に形成されている。そして、これら第１ストッパ２６，２６の最大の突出寸法は、前記ポスト２１が水平方向に所定の角度まで捩じられて回転されたとき、すなわちこの角度は支承片１１の両側部が前記解除片２４に当接されることがない角度まで回転されたときに各第１ストッパ２６，２６がそれぞれ連結片２３，２３の一側部に当接される寸法に設定されている。
【００１５】
また、図４（ｂ）に同じく要部の一部破断斜視図を示すように、前記保持部１０、ここでは前記支承片１１の側縁に沿った部分で前記第１ストッパ２６，２６とは回転方向に反対側でかつ前記ポスト２１を中心とした点対称位置にはそれぞれ第２ストッパ１５，１５が一体に形成されている。これらの第２ストッパ１５，１５は前記したようにポスト２１と共に支承片１１が前記所定の角度まで捩じられて回転されたときに前記連結片２３，２３あるいはこれにつながる解除片２４，２４の一側部が当接されるように、前記支承片１１の幅寸法に基づいて計算された所定位置に設定されている。
【００１６】
以上の構成のケーブルクランプ１によれば、ケーブルクランプ１をシャーシ２の嵌合穴３に取着する際には、嵌合部２０をシャーシ２の上面側から嵌合穴３に挿入する。このように挿入することにより、図５（ａ）のように、嵌合部２０の一対の嵌合片２２，２２は内径方向に弾性変形されて縮径され、嵌合穴３内への挿入を可能にする。そして、嵌合片２２，２２が嵌合穴３を貫通すると、嵌合片２２，２２は弾性力によって復元して外径方向に拡径し、段部２２ａ，２２ａがシャーシ２の下面において嵌合穴３の内縁部に係合する。また、これと同時に一対の脚片２５，２５の先端部がシャーシ２の表面に弾性的に当接され、嵌合部２０を上方に付勢するため、前記段部２２ａ，２２ａを嵌合穴３の内縁部に対して押圧することになり、係合状態を保持することになる。これにより、ケーブルタイ１を上方に引っ張った場合でも、段部２２ａ，２２ａと嵌合穴３との係合によって嵌合部２０が嵌合穴３から挿脱されることがなく、ケーブルクランプ１をシャーシ２に固定することができる。図６その装着状態の要部の斜視図である。
【００１７】
しかる上で、図示は省略するが、保持部１０のヒンジ片１２を開いてシャーシ２の上面上に延設しようとするケーブルを支承片１１内にに内挿し、ヒンジ片１２を閉じてロック片１３をロック体１４に係合させることでケーブルを保持してシャーシ２の表面上に延設支持させることになる。なお、先にケーブルを支承片１１内に保持させた上で、嵌合部２０を嵌合穴３に挿入して嵌合取着するようにしてもよい。
【００１８】
一方、シャーシ２に装着したケーブルクランプ１をシャーシから離脱する際には、図５（ｂ）に示すように、２本の指Ｆで解除片２４，２４を両外側から摘み、かつ両側から力を加えて解除片２４，２４を内側に変形させる。この変形により、同図のように解除片２４，２４と一体の連結片２３，２３も内側に向けて変形され、さらに連結片２３，２３と一体の嵌合片２２，２２も内側に変形されて縮径され、段部２２ａ，２２ａが嵌合穴３の内縁部から外れることになる。したがって、そのままケーブルタイ１をシャーシ２の上方に引き上げることで嵌合部２０を嵌合穴３から引き抜くことができ、ケーブルクランプ１の取り外しが実現できる。
【００１９】
ここで、ケーブルクランプ１がシャーシ２に取着されている図５（ａ）の状態においては、一対の脚片２５，２５の先端部がシャーシ２の表面に当接されて広がる方向に変形される応力が生じ、一対の解除片２４，２４が内側に倒れる方向に変形され、解除片２４，２４の上端部２４ａ，２４ａが支承片１１の両側面に多少の弾性力をもって当接される。そのため、解除片２４，２４を支点としたてこの作用によって一対の嵌合片２２，２２には連結片２３，２３を介して外径方向に広がる応力が加えられるため、嵌合片２２，２２と嵌合穴３との嵌合力が増大され、ケーブルクランプ１が嵌合穴３から外れ難くなり、外力等によっても容易にシャーシ２から離脱されることはない。また、このとき一対の脚片２５，２５はシャーシ２の板厚の相違に応じて先端部での変形量が変化され、当該板厚の相違によっても嵌合片２２，２２との間でシャーシ２を板厚方向に挟んで嵌合状態を確かなものとする。
【００２０】
また、同じ状態において、仮にケーブルクランプ１がケーブルを通して伝えられる外力を受け、シャーシ２上で保持部が傾倒された場合でも、支承片１１と解除片２４，２４の上端部２４ａ，２４ａとは離間されているため、支承部１１に引っ張られて解除片２４，２４が傾倒されることはない。そのため、解除片２４，２４が内径方向に傾倒されて嵌合片２２，２２と嵌合穴３との嵌合状態が損なわれることはなく、嵌合部２０の離脱が防止される。また、保持部１０が傾倒されたときには支承片１１は傾倒された側の解除片２４の上端部２４ａに当接されるため、保持部１０がそれ以上に傾倒することが抑制されるとともに、解除片２４のさらなる傾倒が抑制されることにもなる。
【００２１】
さらに、同じ状態において、ケーブルを通してケーブルクランプ１の保持部１０が水平に一方向（図の反時計方向）に回転された場合には、図７（ａ）に示すように、支承片１１及びポスト２１が一体的に回転される。そして、所定の角度だけ回転された時点で一対の第１ストッパ２６，２６がそれぞれ破線円内に示すように連結片２３，２３に当接されるため、以降の保持部１０及びポスト２１の回転は係止される。一方、保持部１０が水平に反対方向（時計方向）に回転された場合には、図７（ｂ）に示すように、支承片１１に設けた第２ストッパ１５，１５がそれぞれ破線円内に示すように連結片２３，２３あるいは解除片２４，２４の一側部に当接されるため、同様に以降の保持部１０及びポスト２１の回転は係止される。このように、水平方向の両方向への回転量が抑制された状態では、ポスト２１と両嵌合片２２，２２との間、及び支承片１１と両解除片２４，２４との間に所要の間隔が確保されることになるので、解除片２４，２４を指操作して内側に変形可能な状態が確保され、この解除片２４，２４の内側への変形によって嵌合片２２，２２を縮径し、当該嵌合片２２，２２と嵌合穴３との嵌合状態を解消し、ケーブルクランプ１をシャーシ２から取り外すことが確保される。
【００２２】
ここで、前記実施例１で、第１ストッパ２６，２６及び第２ストッパ１５，１５をそれぞれ異なる位置に形成しているのは、ケーブルクランプ１を樹脂成形によって製造しているためであり、樹脂成形金型を正面及び背面方向に分離する際にこれら第１及び第２のストッパが分離の障害にならないようにするためである。したがって、金型構造が複雑化することが問題とならないのであれば、第１ストッパ２６，２６あるいは第２ストッパ１５，１５のいずれかをそれぞれポスト２１の両側部、あるいは保持部１０の支承片１１の両側部にそれぞれ線対称に配設することも可能である。
【００２３】
なお、前記実施例１では本発明をケーブルクランプに適用した実施形態を示してたが、保持部の構成が異なる他の固定具についても同様に適用することが可能である。すなわち、嵌合部をシャーシに設けた嵌合穴に嵌合して取着し、保持部において各種部品をシャーシに保持させる各種の固定具についても同様に適用できることは言うまでもない。
【図面の簡単な説明】
【００２４】
【図１】本発明をケーブルクランプに適用した実施例１の斜視図である。
【図２】ケーブルクランプの正面図と側面図である。
【図３】図２のＡＡ線断面図、ＢＢ線断面図である。
【図４】第１及び第２ストッパを示す一部破断斜視図である。
【図５】嵌合部を嵌合穴に嵌合する状態と嵌合した状態の断面図である。
【図６】嵌合した状態の要部の斜視図である。
【図７】保持部に回転力が加えられた状態の模式的な断面図である。
【図８】従来の固定具の一部の断面図である。
【図９】先に提案されている固定具の概略構成図である。
【図１０】提案されている固定具の問題点を説明するための模式図である。
【符号の説明】
【００２５】
１  ケーブルクランプ（固定具）
２  シャーシ
３  嵌合穴
１０  保持部
１１  支承片
１２  ヒンジ片
１３  ロック片
１４  ロック体
１５  第２ストッパ
２０  嵌合部
２１  ポスト
２２  嵌合片
２３  連結片
２４  解除片
２５  脚片
２６  第１ストッパ
【図１】
2005114124.tif 000003
【図２】
2005114124.tif 000004
【図３】
2005114124.tif 000005
【図４】
2005114124.tif 000006
【図５】
2005114124.tif 000007
【図６】
2005114124.tif 000008
【図７】
2005114124.tif 000009
【図８】
2005114124.tif 000010
【図９】
2005114124.tif 000011
【図１０】
2005114124.tif 000012